(57)【要約】【課題】製作コストの低減を狙いに、部品点数，組立工数の削減化が図れるように端子装置の組立構造を改良する。【解決手段】左右を相間隔壁１ａで仕切った端子台１ｂに、端子ネジ７付きのボックス端子２,該ボックス端子に組み付けて端子台に固定した端子板３,および端子台の前面,上面を覆う端子カバー５を装着した構成になる端子装置において、前記端子板の左右両サイドにボックス端子を組み付けるアーム状の支持ガイド３ｂを形成し、ボックス端子を端子板に嵌挿保持した状態で端子板の支持ガイドを端子台の相間隔壁に形成したガイド溝に圧入して固定し、さらに端子台に装着した端子カバーでボックス端子を前方から押さえ込んで定位置に安定保持させる。【選択図】        図１
2006066287.tif 000002
【特許請求の範囲】
【請求項１】
左右を相間隔壁で仕切った端子台に端子ネジ付きのボックス端子,該ボックス端子に組み付けて端子台に固定した端子板,および端子台の前面,上面を覆う端子カバーを装着した構成になる電気器具の端子装置において、
前記端子板の左右両サイドにボックス端子を組み付けるアーム状の支持ガイドを形成し、ボックス端子を端子板に嵌挿保持した状態で前記支持ガイドを端子台の相間隔壁に形成したガイド溝に圧入して固定したことを特徴とする電気器具の端子装置。
【請求項２】
請求項１記載の端子装置において、端子カバーの前壁内面に、該カバーを端子台に装着した位置でボックス端子を定位置に押さえ込む保持ガイドを設けたことを特徴とする電気器具の端子装置。
【発明の詳細な説明】
【技術分野】
【０００１】
本発明は、例えば電磁接触器に組み合わせて使用するサーマルリレーの単独設置ユニットを実施対象とした電気器具の端子装置に関する。
【背景技術】
【０００２】
頭記の単独設置ユニットは電磁接触器と切り離して配置するサーマルリレーを搭載して制御盤などに設置し、該ユニットに装備の端子装置を介してサーマルリレーと電磁接触器との間を配線するものであり、この単独設置ユニットを例に、当該ユニットに装備した端子装置の従来構造を図６〜図９に示す。図において、１は単独設置ユニット、２はボックス端子、３は端子板、４は設置ユニット１に搭載したサーマルリレーから引き出した接続リード板、５は端子カバーである。
ここで、単独設置ユニット１はサーマルリレー（図示せず）を載置するクレードル構造体（樹脂成形品）であり、衝立状になる前壁の上部には相間隔壁１ａで仕切られたＵ，Ｖ，Ｗ相に対応する端子台１ｂが形成されており、ここにボックス端子２、端子板３、接続リード板４、端子カバー５を後記のように装着して端子装置を構成している。なお、図８で示すように、設置ユニット１の基台裏面側には当該ユニットを支持レールに係止固定するための係合突起１ｄ，付勢バネ１ｅが装着されている。
【０００３】
一方、ボックス端子２は前後面が開放した銅製の箱体で、その底面および上面にボックス固定ネジ穴２ａ，端子ネジ穴２ｂが開口している。また、端子カバー５（樹脂成形品）は端子台の前面および上面を覆う逆Ｌ字形で、その上壁にはドライバ（ネジ回し）の挿入穴５ａが、また前壁には前記の相間隔壁１ａを逃げるように縦溝を形成した上で、外部配線の電線（図示せず）を挿入する窓穴５ｂが開口しており、その左右両サイドに形成した突起５ｃを後記のように前記端子台の左右両サイドの相間隔壁１ａに形成した係合溝１ｆにクリック結合して端子台に固定するようにしている。
次に、前記端子装置の組立方法について説明する。まず、図９のようにボックス端子２を端子板３の上に重ね合わせた状態でボックス固定ネジ６を端子板のネジ穴３ａに螺合して両者を一体に結合し、さらにボックス端子２の上部には端子ネジ７を螺合しておく。
【０００４】
次に端子板３の左右側縁を設置ユニット１の相間隔壁１ａの壁面に形成したガイド溝１ｃ（ガイド溝は隔壁壁面に成形した上下一対のリブ状突起の間に形成されている）に沿って端子台１ｂの前方から圧入して定位置に固定し（図６参照）した上で、端子台に端子カバー５を装着すると図７，図８に示す組立状態となる。
そして、この設置ユニット１にサーマルリレーを搭載した上で、電磁接触器との間を配線するには、図８で示すようにサーマルリレーから引き出した接続リード板４の先端を端子台１ｂの背後からボックス端子２に差し込んで端子板３の上に重ね、さらに電磁接触器との間に配線する外部配線の電線（図示せず）を端子台１ｂの前方から端子カバー５の窓穴５ｂを通してボックス端子２に差し込み、この状態で端子カバー５の穴５ａを通して挿入したドライバで端子ネジ７を締め付けて締結する。
【０００５】
なお、前記のようにボックス端子２を端子板３の上に重ね、ボックス固定ネジ６により両部品を結合した上で端子台に装着した構造の端子装置は、頭記のサーマルリレー単独設置ユニット以外でも各種電気器具の端子装置に広く採用されて公知である（例えば、特許文献１参照）。
【特許文献１】特開２００２−１７０６０５号公報
【発明の開示】
【発明が解決しようとする課題】
【０００６】
ところで、前記した従来構造の端子装置では組立性の面で次記のような問題点がある。すなわち、ボックス端子２を端子板３に結合する手段としてボックス固定ネジ７を用いているために、部品点数および部品の加工，組立工数が多くなって製作コストが増すといった問題がある。
そこで、本発明の目的は、製作コストの低減を狙いに部品点数，組立工数の削減化が図れるように組立構造を改良した端子装置を提供することにある。
【課題を解決するための手段】
【０００７】
上記目的を達成するために、本発明によれば、左右を相間隔壁で仕切った端子台に端子ネジ付きのボックス端子,該ボックス端子に組み付けて端子台に固定した端子板,および端子台の前面,上面を覆う端子カバーを装着した構成になる電気器具の端子装置において、
前記端子板の左右両サイドにボックス端子を組み付けるアーム状の支持ガイドを形成し、ボックス端子を端子板に嵌挿保持した状態で前記支持ガイドを端子台の相間隔壁に形成したガイド溝に圧入して固定する（請求項１）。
また、前記構成において、ボックス端子を定位置に安定保持させるための手段として、端子カバーの前壁内面に、該カバーを端子台に装着した位置でボックス端子を定位置に押さえ込む保持ガイドを設けるものとする（請求項２）。
【発明の効果】
【０００８】
上記の構成によれば、固定ネジを使わずに、簡単な嵌め込み操作でボックス端子を端子板に組み付けて端子台に装着することができ、これにより従来構造と比べて部品点数，組立工数を削減して製作コストの低減化が図れる。
【発明を実施するための最良の形態】
【０００９】
以下、前記した単独設置ユニットに適用する端子装置を例に、本発明の実施の形態を図１〜図５に示す実施例に基づいて説明する。なお、実施例の図中で図６〜図９に対応する部材には同じ符号を付してその説明は省略する。
すなわち、図示実施例においては、端子装置の部品である端子板３は固定ネジ穴がなく、その代わりに端子板の後端から左右に分岐して側縁に延在する左右一対のアーム状支持ガイド３ｂが形成されている。一方ボックス端子２はボックスの上壁に端子ネジ７が螺合され、その端子ネジの先端にはボックス内に嵌入した電線押え用の座金８が遊嵌支持されている。また、端子カバー５にはその前壁の内面に図４で示すような縦方向のリブ状突起になる端子押え用の保持ガイド５ｄが形成されている。
そして、ボックス端子２，端子板３，端子カバー５をユニットの端子台１ｂに装着するには、まず、図１（ｂ）で示すようにボックス端子２に対して端子板３を矢印方向から嵌挿し、ボックス端子の左右側壁を端子板３の側縁と前記支持ガイド３ｂとの間に挟み込んで結合する。次にボックス端子２と端子板３との組立体を前方から端子台１ｂに挿入し、端子板３の両サイドに形成した支持ガイド３ｂを相間隔壁１ａの壁面に形成したガイド溝１ｃに圧入して端子板３を左右の隔壁間に跨がって固定する。図２は端子カバー５を装着する前の組立状態を示す。続いて、端子台に端子カバー５を被せ、その両サイドの突起５ｃを相間隔壁１ａに形成した係合溝１ｆにクリック結合して固定する。また、端子カバー５を装着した状態では、図４で表すように端子カバー５の前壁内面に形成した保持ガイド５ｄがボックス端子２の前面に当接して該端子を定位置に押さえ込む。なお、この状態ではボックス端子２は端子板３に対して上下方向に可動であり、配線時には図９で述べたと同様に端子台１ｂの前後からボックス端子２に外部配線の電線（図示せず）および接続リード板４を差し込んだ上で端子ネジ７を締め付けることで、配線が端子板３と端子ネジ７に結合した座金８との間に挟持される。
【００１０】
なお、図示実施例はサーマルリレーの単独設置ユニットに装備の端子装置を例示したが、これ以外の各種電気機器の端子装置に実施適用できることは勿論である。
【図面の簡単な説明】
【００１１】
【図１】本発明の実施例による端子装置の構成図で、（ａ）は分解斜視図、（ｂ）は（ボックス端子に端子板を組み付ける組立方法の説明図
【図２】端子台に端子板およびボックス端子を装着した組立状態を表す外観斜視図
【図３】図２の状態から端子台に端子カバーを装着した端子装置の組立状態を表す外観斜視図
【図４】図３の縦断側面図
【図５】従来における端子装置の構造を示す分解斜視図
【図６】図５における端子台に端子板およびボックス端子を装着した組立状態を表す外観斜視図
【図７】図６の状態から端子台に端子カバーを装着した端子装置の組立状態を表す外観斜視図
【図８】図７の縦断側面図
【図９】図５における端子板にボックス端子を結合した状態の斜視図
【符号の説明】
【００１２】
１    単独設置ユニット（電気器具）
１ａ  相間隔壁
１ｂ  端子台
１ｃ  ガイド溝
２    ボックス端子
３    端子板
３ａ  支持ガイド
４    接続リード板
５    端子カバー
５ｄ  保持ガイド
７    端子ネジ
【図１】
2006066287.tif 000003
【図２】
2006066287.tif 000004
【図３】
2006066287.tif 000005
【図４】
2006066287.tif 000006
【図５】
2006066287.tif 000007
【図６】
2006066287.tif 000008
【図７】
2006066287.tif 000009
【図８】
2006066287.tif 000010
【図９】
2006066287.tif 000011